(57)【要約】【課題】複数のドラムを載置し得、その巻胴に対して斜め方向からでも条材をスムーズに転倒を防止しつつ引き出し得、不使用時にはコンパクトに折り畳み得ること。【解決手段】機枠２の二対のフレーム１、１の間に二組ずつ配した一対一組の載置用ローラ３、３と、各対のフレーム１、１…の両端に起伏自在に立ち上げ、各々の上部途中に、対応する側に載置したドラムｄの上部を抑える抑えローラ９を備え、かつ一方の上端にガイド枠６の端部を起伏自在に取り付け、他方の上端にガイド枠６の他端の面状ファスナ１１と着脱自在に結合する面状ファスナ１０を配した上抑え枠５ａ、５ｂ、５ａ、５ｂと、起立した両側の上抑え枠５ａ、５ｂ、５ａ、５ｂの上端間に位置し、四辺形に配置した側部ガイドローラ６ａ、６ａ及び端部ガイドローラ６ｂ、６ｂの中を通じてドラムｄ、ｄの電線類ｗを引き出し得るように構成したガイド枠６とからなる。【選択図】  図１
2009102091.tif 000002
【特許請求の範囲】
【請求項１】
各々載置対象のドラムの幅を越える間隔で平行に配列した一対以上のフレームを平行状態に結合して構成した機枠と、
該機枠の各一対のフレームの間に二組ずつ配した一対一組の載置用ローラであって、相互に平行にかつ各一対のフレームに直交する向きに固設した各一対の軸に回転自在に外装したローラで構成した載置用ローラと、
各一対のフレームの一対一組の載置用ローラ毎に、該載置用ローラに載置されたドラムの両側のフレームに当接する動きを規制すべく、両側のフレームの対応する部位に各々回転自在に配した側部規制ローラと、
前記機枠の各一対のフレームの両端に各々起伏自在に立ち上げた門型の上抑え枠であって、各々の上部の途中に、各々それに近い位置の一対の載置用ローラに載置したドラムの上部を抑える回転自在な抑えローラを備え、かつ一方の上端に後記ガイド枠の一端部を起伏自在に取り付け、他方の上端に該ガイド枠の他端の接続手段と着脱自在に結合する結合手段を備えた上抑え枠と、
前記各一対のフレームの両端に配した上抑え枠の上端間に配するガイド枠であって、各々四個の回転自在なガイドローラを四辺形に配置して、前記各一対のフレーム毎の二対の載置用ローラに載置した二個のドラムの両方又は一方から引き出した条材を該四個のガイドローラの中を通じて引出可能に構成したガイド枠と、
で構成した多連ドラム巻条材の引出機。
【請求項２】
前記抑えローラを、それがドラムの上部を抑える際に、該ドラムを載置した一対の載置用ローラ間の中心より該載置用ローラが配してある一対のフレームの中心側に位置することとなるように、前記上抑え枠に取り付けた請求項１の多連ドラム巻条材の引出機。
【請求項３】
前記ガイド枠の一端部の前記上抑え枠の上端への起伏自在な取り付けをヒンジで構成した請求項１又は２の多連ドラム巻条材の引出機。
【請求項４】
前記ガイド枠の接続手段と前記上抑え枠の上端の結合手段とを、各々相互に着脱自在に結合し得る面状ファスナで構成した請求項１、２又は３の多連ドラム巻条材の引出機。
【請求項５】
前記各一対のフレームの両端に各々起伏自在に立ち上げた門型の上抑え枠の内、一端のそれの両脚を各々該各一対のフレームの内側から立ち上げ、他端のそれの両脚を該各一対のフレームの外側から立ち上げることとした請求項１、２、３又は４の多連ドラム巻条材の引出機。
【発明の詳細な説明】
【技術分野】
【０００１】
本発明は、コード類、ケーブル類、紐類、ホース類、その他の長尺の条材が巻いてある複数のドラムをセットして、建築現場や工事現場その他の所要の場所で、それらの各条材をスムーズに引き出すことができる多連ドラム巻条材の引出機に関するものである。
【背景技術】
【０００２】
従来はこのような多連ドラム巻条材の引出機は存在していない。現時点までに提供され、或いは提案されているのは、一つのドラムを回転自在に支持し、このドラムから条材を引き出すことができるようにしてあるもののみである。
【０００３】
このような一つのドラムを支持するタイプのドラム巻条材の引出機としては、ケーブル類や電線類又はホース類の引出機が知られているが、いずれもドラムがその中心軸で支持されるタイプのものであり、そのドラムは取り外すことができないか、できるとしても取り外しになかなか厄介な操作の必要なものであった。またケーブル類等をドラムの巻胴に対して斜め方向から引き出したりすると、それがドラムから外れたり、或いは引出機自体が簡単に倒れて、それ以上の引き出しができなくなってしまうようなものであった。更に引出機の不使用時にもそれを小さく折り畳む等ということはできないものであって、運搬時や保管時にも多くのスペースをとる不都合もあった。加えて積み重ねて保管しようとすると、落ち着きが悪く、特別の台等が必要である等の不便なものでもあった。
【０００４】
そこで、以上のような従来のドラム巻条材の引出機、即ち、以上のケーブル類や電線類又はホース類の引出機の問題点を解決することを目的として、本件出願人は特許文献３のドラム巻き条材の引出機を提案した。
【０００５】
このドラム巻条材の引出機は、平面上に置かれた状態で自転自在であるように車輪類を配した機台と、該機台上に、その前後端に平行で軸の周囲方向に回転自在に配した一対の載置用ローラであって、それらと同一軸方向を向いたドラムを載置し得るように配した載置用ローラと、上記一対の載置用ローラに載置したドラムを該載置用ローラの上に保持すべくその両側鍔部の位置で挟む一対以上の側部規制ローラであって、前記機台の両側部に各々縦軸を中心として回転自在に配した側部規制ローラと、前記機台の前後端に各々起伏回動自在に配した逆Ｕ字状の起伏アームであって、前記載置用ローラに載置したドラムを上方から抑える上部抑えローラを、各々上端横棒部に平行に取り付けた起伏アームと、  上記両起伏アームの両側部途中にそれぞれ配する弾性結合手段であって、起立して前記上部抑えローラでドラムを抑えている場合に、その状態を保持すべく両起伏アームの両側部を相互に弾力的に結合する弾性結合手段と、で構成したものである。
【０００６】
この特許文献３のドラム巻条材の引出機は、条材を巻いたドラムを必要に応じて簡単かつ自由に載せ替えることができ、かつ条材の引出時にドラムから条材が外れるようなこともない。またドラムの巻胴に対して斜め方向から条材を引いても該ドラムが適切な方向に向きを変えるように、それ自体が動き、その転倒を防止し得るものである。更にその不使用時には、ドラムを取り除いて折り畳むことにより、コンパクトなものとなし得、容易に積み重ねることもでき、保管や運搬の際に大きなスペースを必要としない。
【０００７】
このように、特許文献３のドラム巻条材の引出機は多くの利点を持つものとなったものであり、非常に優れたものであるが、複数のドラムを載置し、そこから条材を引き出したいという希望に応えることはできない。
【０００８】
【特許文献１】特開２００３−２１３８８８号公報
【特許文献２】特許第２８２６０４３号公報
【特許文献３】特開平１１−２０９００３号公報
【発明の開示】
【発明が解決しようとする課題】
【０００９】
本発明は、以上のような特許文献３のドラム巻条材の引出機の優れた点を引き継ぎながら、その問題点である、複数のドラムを載置し、そこから条材を引き出すことができない問題を解決し、複数のドラムを載置し、そこから条材を引き出すことが可能な多連ドラム巻条材の引出機を提供することを解決の課題とするものである。
【課題を解決するための手段】
【００１０】
本発明の１は、各々載置対象のドラムの幅を越える間隔で平行に配列した一対以上のフレームを平行状態に結合して構成した機枠と、
該機枠の各一対のフレームの間に二組ずつ配した一対一組の載置用ローラであって、相互に平行にかつ各一対のフレームに直交する向きに固設した各一対の軸に回転自在に外装したローラで構成した載置用ローラと、
各一対のフレームの一対一組の載置用ローラ毎に、該載置用ローラに載置されたドラムの両側のフレームに当接する動きを規制すべく、両側のフレームの対応する部位に各々回転自在に配した側部規制ローラと、
前記機枠の各一対のフレームの両端に各々起伏自在に立ち上げた門型の上抑え枠であって、各々の上部の途中に、各々それに近い位置の一対の載置用ローラに載置したドラムの上部を抑える回転自在な抑えローラを備え、かつ一方の上端に後記ガイド枠の一端部を起伏自在に取り付け、他方の上端に該ガイド枠の他端の接続手段と着脱自在に結合する結合手段を備えた上抑え枠と、
前記各一対のフレームの両端に配した上抑え枠の上端間に配するガイド枠であって、各々四個の回転自在なガイドローラを四辺形に配置して、前記各一対のフレーム毎の二対の載置用ローラに載置した二個のドラムの両方又は一方から引き出した条材を該四個のガイドローラの中を通じて引出可能に構成したガイド枠と、
で構成した多連ドラム巻条材の引出機である。
【００１１】
本発明の２は、本発明の１の多連ドラム巻条材の引出機に於いて、前記抑えローラを、それがドラムの上部を抑える際に、該ドラムを載置した一対の載置用ローラ間の中心より該載置用ローラが配してある一対のフレームの中心側に位置することとなるように、前記上抑え枠に取り付けたものである。
【００１２】
本発明の３は、本発明の１又は２の多連ドラム巻条材の引出機に於いて、前記ガイド枠の一端部の前記上抑え枠の上端への起伏自在な取り付けをヒンジで構成したものである。
【００１３】
本発明の４は、本発明の１、２又は３の多連ドラム巻条材の引出機に於いて、前記ガイド枠の接続手段と前記上抑え枠の上端の結合手段とを、各々相互に着脱自在に結合し得る面状ファスナで構成したものである。
【００１４】
本発明の５は、本発明の１、２、３又は４の多連ドラム巻条材の引出機に於いて、前記各一対のフレームの両端に各々起伏自在に立ち上げた門型の上抑え枠の内、一端のそれの両脚を各々該各一対のフレームの内側から立ち上げ、他端のそれの両脚を該各一対のフレームの外側から立ち上げることとしたものである。
【発明の効果】
【００１５】
したがって本発明の１の多連ドラム巻条材の引出機によれば、条材、例えば、電線類を巻いたドラムを前記一対一組の載置用ローラ上に、それらの軸と同軸状態に載せ、各一対のフレームの両端に外方に開いた状態にしてあった上抑え枠をそれぞれ起こしてそれらの上部途中の抑えローラを対応する載置用ローラに載っているドラムの上部周縁に当接させ、更に各対のフレーム毎の両端の上抑え枠を、その一方の上端に起伏自在に配したガイド枠の他端を他方の上抑え枠の上端に結合させることで、相互に結合して使用する。
【００１６】
この状態で、各一対の二組の載置用ローラに載せたドラムのそれぞれからそれに巻回してある条材を引き出す場合は、それぞれ条材の端部を両ドラムから引き出し、上部中央の前記ガイド枠の四個のガイドローラの間から引き上げれば、条材は、上記四個のガイドローラで案内され、スムーズな引き出しが確保される。従って前記各一対の載置用ローラの上に載り、上部を上抑え枠の抑えローラで抑えられたドラムは、該条材の引き出しに伴いスムーズに回転してその引き出しを許容することとなり、それ自体が容易に倒れたりすることはない。またいずれかのドラムの条材を使い切った場合も、対応する位置の上抑え枠を前記ガイド枠による他方の上抑え枠との結合状態を解除して外方に開けば、他の条材を十分に巻いてあるドラムと容易に交換することができる。
【００１７】
また本発明の１の多連ドラム巻条材の引出機によれば、二個のドラムを二個を越える偶数個のドラムを縦横に載置できるものであり、相応する重量を有することになるものでもあるため、条材を急激に強く引くようなことがあってもこれ自体が倒れるようなことは容易に生じない。
【００１８】
更に本発明の１の多連ドラム巻条材の引出機によれば、二個以上の偶数個のドラムを同時に載置可能であるから、必要に応じて最大で二種以上の偶数種の条材をこの引出機から引き出すことが可能であり、また同種の条材を二個以上の偶数個のドラムによって多量に引き出し可能とすることができる。
【００１９】
本発明の２の多連ドラム巻条材の引出機によれば、前記抑えローラが条材を引き出す側の上部で対象のドラムを抑えることになるので、条材を引き出す際に、該ドラムが一緒に装置に中央側に引っ張られて対応する一対の載置用ローラから脱落するような問題は生じない。
【００２０】
本発明の３の多連ドラム巻条材の引出機によれば、前記ガイド枠をヒンジで一方の上抑え枠の上端に取り付けたので、その起伏自在な取り付けを容易に構成し得たものである。
【００２１】
本発明の４の多連ドラム巻条材の引出機によれば、前記接続手段と前記結合手段とをそれぞれ極めて薄い手段で容易に構成し得、かつ二対のフレームの両端に起伏自在に配した上抑え枠を起こした場合に、そのようにして構成した接続手段及び結合手段によって、一方の上抑え枠の上端に起伏自在に取り付けたガイド枠の他端を他方の上抑え枠の上端に極めて簡単に接続可能となる。
【００２２】
本発明の５の多連ドラム巻条材の引出機によれば、各一対のフレームの両端の上抑え枠の両脚を、一方は該フレームの内側から立ち上げ、他方を外側から立ち上げることとしたため、各一対一組の載置用ローラからドラムを取り除いて、これを折り畳む場合によりコンパクトに折り畳み可能になる。従って不使用時の保管の際、或いは運搬の際等に保管や運搬のスペースが小さくなる利点が得られる。
【発明を実施するための最良の形態】
【００２３】
以下、発明の実施の形態を一実施例に基づいて添付図面を参照しつつ詳細に説明する。
【００２４】
この実施例の多連（４連）ドラム巻条材の引出機は、図１〜図４及び図６に示すように、各一対のフレーム１、１を平行状態に結合して構成した機枠２と、該機枠２の各一対のフレーム１、１の間に二組ずつ配した一対一組の載置用ローラ３、３と、各一対のフレーム１、１に、その一組の載置用ローラ３、３毎に取り付けた側部規制ローラ４、４…と、各一対のフレーム１、１毎にその両端に起伏自在に立ち上げた上抑え枠５ａ、５ｂと、該二組の上抑え枠５ａ、５ｂの上端間に配する二つのガイド枠６、６とで構成したものである。
【００２５】
前記機枠２は、図１、図３及び図４に示すように、載置するドラムｄの幅を越える所定間隔で平行に配列した二対のフレーム１、１…を同一平面上に平行に配列し、相互を結合して構成したものである。各一対のフレーム１、１は、この実施例では、それぞれ断面Ｌ型の長尺部材を採用し、その底板部の張出方向が相互に対面状態となるように配列したものである。このように配列した二対のフレーム１、１…は、更に、同図に示すように、相互の近接する側のフレーム１、１間に、若干の隙間をあけて平行に配列する。
【００２６】
これらの二対のフレーム１、１…は、図１、図３及び図４に示すように、これらと直交する向きの３本の連結ボルト７、７、７及び同様に直交する向きの三枚の連結板８、８、８で結合する。該連結ボルト７、７、７は、二対のフレーム１、１…の両端付近と中央部とでこれらの直立部を貫通する状態に配し、該連結ボルト７、７、７の両端は、両側部に位置するフレーム１、１の直立部を挟む状態にナット７ａ、７ａを螺合してこれらを固定する。また内側の二本のフレーム１、１の直立部間には該連結ボルト７、７、７にパイプ状のスペーサ７ｂを外装状態に配してその両端を該内側の二本のフレーム１、１の直立部に内側から当接させ、そのフレーム１、１の直立部の反対側では、該連結ボルト７、７、７に螺合してあるナット７ｃ、７ｃを、これらと該スペーサ７ｂの両端部とで該フレーム１、１の直立部を挟持する状態になるように締め付け固定する。
【００２７】
また、前記三枚の連結板８、８、８は、図１〜図４及び図６に示すように、二対のフレーム１、１…の両端付近と中央部とでこれらフレーム１、１…の各底板部に接合状態で固定して、該フレーム１、１…相互を連結固定するものである。各連結板８、８、８は、いずれの位置でも、フレーム１、１…の底板部の下面側に接合固定する。この固定は、この実施例では、それぞれ対応する３個の穴を開けておき、これらにリベット部材を挿入し、下方からその軸中心に打撃を加えて拡大させることにより行ったものである。
【００２８】
前記四組の載置用ローラ３、３…は、図１、図２、図４及び図６に示すように、各一対のフレーム１、１の長さ方向を中央で二つに分け、各々その二つの区画内に一組ずつセットする。各組の一対の載置用ローラ３、３は、同図に示すように、フレーム１、１に直交する向きで相互に平行に配する。それらの中心軸３ａの両端を両側のフレーム１、１に固定することにより取り付ける。該各一組一対の載置用ローラ３、３の間隔は、対象のドラムｄを安定して支持可能な寸法とする。なお、各載置用ローラ３、３は、この実施例では、それぞれ中心軸３ａにボールベアリングを介して回転自在に外装したものである。
【００２９】
前記側部規制ローラ４、４…は、特に図４に示すように、各フレーム１に、一組一対の載置用ローラ３、３に対応させて一つずつ取り付けるものとする。より詳しくは、対応するフレーム１の部位の内、対応する載置用ローラ３、３との取付部の中間部である部位に該側部規制ローラ４を配置する。図２、図３、図４及び図７に示すように、４本のフレーム１、１…の直立部に存在するこのような８箇所の部位に、逆Ｌ型の取付部材の直立部を接合状態に固設し、その天板部とフレーム１の底板部とに該側部規制ローラ４の回転軸を固設する。該側部規制ローラ４は、該回転軸と、これにボールベアリングを介して回転自在に外装したローラ部とで構成したものである。なお、フレーム１の直立部の該当する部位及びこの部位に対応する上記逆Ｌ型の取付部材の直立部には、図２、図６及び図７に示すように、該側部規制ローラ４のローラ部がそこに位置することができるように、切欠部１ａが開口してある。
【００３０】
前記上抑え枠５ａ、５ａ、５ｂ、５ｂは、図１〜図３及び図６に示すように、二つの帯板状の脚部とその上端間を結合するやはり帯板状の横枠部と該横枠部の直下の抑えローラ９とで構成したものであり、一方の上抑え枠５ａ、５ａの横枠部の上面には面状ファスナ（結合手段）１０が貼り付け状態に配してある。また他方の上抑え枠５ｂ、５ｂの横枠部の上端には、後述するように、前記ガイド枠６、６の一端部が起伏自在に結合してある。
【００３１】
前記一方の上抑え枠５ａ、５ａは、同図に示すように、各一対のフレーム１、１の直立部の一端内面にその両脚部を接合状態で各々起伏自在に取り付けたものである。詳細には、両側のフレーム１、１の各直立部の内面に上抑え枠５ａの両脚部を各々当接させ、両者に開口してあるピン孔を利用してピン結合したものである。
【００３２】
他方の上抑え枠５ｂ、５ｂは、同図に示すように、各一対のフレーム１、１の直立部の一端外面にその両脚部を接合状態で各々起伏自在に取り付けたものである。詳細には、両側のフレーム１、１の各直立部の外面に上抑え枠５ｂの両脚部の内面を各々当接させ、両者に開口してあるピン孔を利用してピン結合したものである。
【００３３】
前記抑えローラ９、９…は、図１〜図３及び図６に示すように、前記上抑え枠５ａ、５ｂの各々の両脚部を上端で結合する横枠部の直下にこれと平行な向きで位置し、その中心軸の両端を両脚部の横枠部直下の部位に固設したものである。なお、該抑えローラ９、９…は、この実施例では、上記中心軸と、これにボールベアリングを介して回転自在に外装したローラ部とで構成したものである。
【００３４】
なお、以上の上抑え枠５ａ、５ａ、５ｂ、５ｂは、図２に示すように、これを起立させ、内側にやや斜めに倒した状態で、その横枠部の直下の抑えローラ９、９…が、それぞれ対応する一対の載置用ローラ３、３上に載置した状態のドラムｄの上部やや内側の縁部に当接することとなるように、その両脚部の長さ及び該抑えローラ９、９…のこれへの取付位置を設定しておくものである。即ち、該抑えローラ９、９…は、それぞれ該上抑え枠５ａ、５ａ、５ｂ、５ｂを内側にやや斜めに倒した状態で、各々抑え対象のドラムの軸芯の鉛直上部より内側に当接することとなるように、該上抑え枠５ａ、５ａ、５ｂ、５ｂへの取付位置を設定する。
【００３５】
また前記面状ファスナ１０は、図２及び図６に示すように、前記一方の上抑え枠５ａ、５ａの上端の横枠部の上面に接着剤を介して接合固定したものである。この面状ファスナ１０は、この実施例では、これと着脱自在に結合する前記ガイド枠６、６の一端の面状ファスナ（接続手段）１１と結合可能なそれに構成したものである。詳細には、前者の面状ファスナ１０は、面状基材の面に多数のフック状小係止片を立設して構成したものであり、後者のガイド枠６、６の面状ファスナ１１はループ状の小係止片を面状基材の面に多数立設して構成したものである。
【００３６】
前記ガイド枠６、６は、図１〜図３及び図５に示すように、平面から見て長方形に組んだ支持枠部と、該支持枠部の長さ方向一端の下面に構成した前記面状ファスナ１１と、該支持枠部の長さ方向両側に沿って若干内側上方に配した側部ガイドローラ６ａ、６ａと、該支持枠部の長さ方向両端に沿って若干内側下方に配した端部ガイドローラ６ｂ、６ｂとで構成したものである。
【００３７】
前記ガイド枠６、６の支持枠部の長さ方向の寸法は、図２に示すように、前記上抑え枠５ａ、５ａ、５ｂ、５ｂを起立させた場合に、その一方の上抑え枠５ｂ、５ｂの上端に一端が結合した該ガイド枠６、６の他端部下面の面状ファスナ１１、１１が、他方の上抑え枠５ａ、５ａの横枠部上面の面状ファスナ１０、１０と適切に結合できるだけの寸法とし、かつ該支持枠部の幅方向の寸法は、前記各一対のフレーム１、１の間隔とほぼ一致する寸法とする。
【００３８】
前記面状ファスナ１１は、それ自体の構成は先に説明した通りであるが、これを取り付ける前記支持枠部の長さ方向一端下面は、特に図２及び図５(b)に示すように、外方に向かって斜め上向きに構成してあるものである。これは、特に図２に示すように、前記上抑え枠５ａ、５ａを起こし、上方からドラムｄ、ｄ…を、その抑えローラ９、９で抑えようとする場合には、その上端の横枠部の上面が内側に向かって下向き傾斜となり、当然、その上に配した面状ファスナ１０、１０もそのように傾斜するからである。従って前記ガイド枠６、６の面状ファスナ１１、１１の斜め上向きの角度は接合対象の面状ファスナ１０、１０の角度に対応するそれとする。
【００３９】
前記ガイド枠６、６の他端側端部と前記上抑え枠５ｂ、５ｂの上端との起伏自在な結合は、特に図１、図２及び図５(a)、(b)に示すように、ヒンジ１２によって行う。該ガイド枠６、６の支持枠部の長さ方向他端部も、同図に示すように、その一端部と同様に、その下面を外方に向かって斜め上向きに構成し、該下面に該ヒンジ１２の一方のヒンジ片１２ａを固設し、他方のヒンジ片１２ｂを対応する上抑え枠５ｂ、５ｂの横枠部の上面に固設する。こうして、上記のように、該ガイド枠６、６は、該上抑え枠５ｂ、５ｂの上端に起伏自在に結合したものである。
【００４０】
前記側部ガイドローラ６ａ、６ａは、特に図５(a)、(b)、(c)に示すように、支持枠部の両端近傍の両側部上面に各々断面Ｌ型のブラケット６ａ１、６ａ１を固設し、その直立部に中心軸の両端を固設し、該中心軸にボールベアリングを介してローラ部を回転自在に外装して構成したものである。なお、該ブラケット６ａ１、６ａ１は、若干内側に延長状態に構成し、前記中心軸の両端は該支持枠部の側部より内側に結合し、該側部ガイドローラ６ａ、６ａを僅かに内側に位置させるものとする。
【００４１】
また前記端部ガイドローラ６ｂ、６ｂは、特に図５(a)、(b)、(c)に示すように、支持枠部の両側部の前記ブラケット６ａ１、６ａ１より内側の位置間に中心軸の両端を固設し、かつ該中心軸にボールベアリングを介してローラ部を回転自在に外装して構成したものである。なお、支持枠部の両側部は、それぞれ断面逆Ｌ型の部材で構成されており、前記中心軸の両端は、それぞれ支持枠部の両側部の垂下板部６ｂ１、６ｂ１に固設したものである。
【００４２】
それ故、ガイド枠６、６は、前記し、図１、図５(a)に示すように、平面から見て長方形状をなしているが、更にこれに構成した側部ガイドローラ６ａ、６ａ及び端部ガイドローラ６ｂ、６ｂによってその内側に更に長方形のガイド部が構成されることになる。後述するように、各一対の載置用ローラ３、３に載置されたドラムｄ、ｄに巻回されている電線類などの条材がこれらの側部ガイドローラ６ａ、６ａ及び端部ガイドローラ６ｂ、６ｂによって形成される長方形のガイド部を通じてスムーズに引き出されることになるわけである。
【００４３】
この実施例の多連（４連）ドラム巻条材の引出機は、以上のように構成したものであり、従って以下のように使用することができる。
【００４４】
この実施例の多連ドラム巻条材の引出機によれば、種々の条材、例えば、電線類、ケーブル類、コード類又はホース類その他を巻いた四個のドラムｄを、図１〜図３に示すように、セットして、それらの条材の引出のために使用することができる。
【００４５】
ここでは電気工事にこの実施例の多連ドラム巻条材の引出機を使用する場合を例にとって説明する。
従って、多くの場合、条材として電線類ｗ又は各種のケーブル類が対象となる。
まずこの引出機の使用に際しては、必要な種類の電線類ｗを巻いた四個のドラムｄ、ｄ…を用意する。電気工事では、通常６種類程度の電線類を使用するが、実際にその工事で必要な電線類ｗを巻いた最低４個のドラムｄ、ｄ…を用意する。４個のドラムｄは、その工事の必要に応じて、同種の電線類を巻いたものでも、全て種類が異なるものでも良い。
【００４６】
引出機には、以上のようにして用意した４個のドラムｄ、ｄ…をセットする。即ち、各ドラムｄ、ｄ…を、図４に一点鎖線で示すように、前記各一対の載置用ローラ３、３上に、それらと同軸方向に向けて載せ、同図に示すように、機枠２の二対のフレーム１、１…の両端で外方に開いた状態にしてある上抑え枠５ａ、５ａ、５ｂ、５ｂを、図１〜図３に示すように、それぞれ起こし、それらの上抑え枠５ａ、５ａ、５ｂ、５ｂに配してある各抑えローラ９、９…で外側上部で前記各ドラムｄ、ｄ…を抑えた状態にする。
【００４７】
次いで、以上のように起こした各一対のフレーム１、１の一端の上抑え枠５ａ、５ａの横枠上面と、他端の上抑え枠５ｂ、５ｂの横枠上端にヒンジ１２を介して結合したガイド枠６、６の他端とを結合して使用する。この結合は、先に述べたように、上抑え枠５ａ、５ａの横枠上面に配してある面状ファスナ１０、１０とガイド枠６、６の他端下面に配してある面状ファスナ１１、１１とを圧接することで行うものである。
【００４８】
このようにセットした上で、必要に応じて、４個のドラムｄ、ｄ…に巻いてあるいずれの電線類ｗ、ｗ…をも自由に引き出すことができる。これらの電線類ｗ、ｗ…は、前記ガイド枠６、６の二つの側部ガイドローラ６ａ、６ａ及び二つの端部ガイドローラ６ｂ、６ｂで囲まれた四辺形の空間を通じて引き出す。
【００４９】
ドラムｄ、ｄ…は、以上の状態に於いて、各々載置用ローラ３、３上に転動自在に載置され、かつ上方は各々前記抑えローラ９によりやはり同様に転動自在に抑えられているので、電線類ｗ、ｗ…の引き出しの際には、その位置に保持されつつ、スムーズな転動が行われることとなる。またドラムｄ、ｄ…は、それぞれ、両側への移動が前記側部規制ローラ４、４によって規制されているので、無用に側方に移動してフレーム１等に接触し回転不能になるようなこともない。
【００５０】
電線類ｗが、例えば、ドラムｄ、ｄ…の巻胴の軸方向に対して平行な方向等から引き出されるような場合にも、該電線類ｗはいずれにしても、前記したように、前記ガイド枠６、６の二つの側部ガイドローラ６ａ、６ａ及び二つの端部ガイドローラ６ｂ、６ｂで囲まれた四辺形の空間を通じて引き出されるため、ドラムｄ、ｄ…に近接する範囲では、概ね該ドラムｄ、ｄ…の軸心に対して直交する方向から引き出される状態となるため、その引き出しに不都合を生じることはない。
【００５１】
こうして引出機は、電線類ｗの引出しの際に、常に安定した状態を保持することができるため、電線類ｗの引出しの際に、引出機自体が転倒して引き出しが不能になる等の問題を生じる虞はなく、それ故、その引出しは何時でも滞りなく行え、引出機を利用する電気工事の作業がスムーズに行えるものである。
【００５２】
またこのような電線類ｗの引き出しに際しては、前記ガイド枠６、６によって二対のフレーム１、１…の両側の上抑え枠５ａ、５ｂ、５ａ、５ｂが広がらないように固定され、上抑え枠５ａ、５ｂ、５ａ、５ｂの各抑えローラ９、９…によってドラムｄ、ｄ…の上部外縁が抑えられているため、電線類ｗは、引出操作に応じた必要な分だけが引き出され、ドラムｄ、ｄ…の惰性による回転で無意味に長く引き出されてしまうようなことはない。
【００５３】
ドラムｄの電線類ｗを全て引出してしまった場合には、同サイズの電線類の巻いてある他のドラムｄに載せ替える必要があるが、この引出機では、ガイド枠６、６の一端を一方の上抑え枠５ｂ、５ｂの上端にヒンジ１２、１２を介して結合し、他端をそれ自体に配した面状ファスナ１１、１１及び上抑え枠５ａ、５ａに配した面状ファスナ１０、１０を介して結合したものであるため、後者の面状ファスナ１１、１１と１０、１０とを引き剥がし、次いで、該上抑え枠５ａ、５ｂ、５ａ、５ｂを、図４に示すように、外方に倒せば、簡単に、電線類ｗの引き出されてしまったドラムｄを取り除き、電線類ｗの巻いてある他のドラムｄと載せ替えることができる。その後は、前記したように、上抑え枠５ａ、５ｂ、５ａ、５ｂをまた起こして前記ガイド枠６、６の他端と上抑え枠５ａ、５ａの上端とを結合させればよい。
【００５４】
この引出機の不使用時には、先に述べたようにして、全ドラムｄ、ｄ…を取り除き、引出機それ自体をコンパクトに折り畳むことができる。従ってその保管や運搬の際のスペースを小さくすることができる。即ち、前記のようにして、ガイド枠６、６の一方の端部と上抑え枠５ａ、５ａの上端との結合を解除し、上抑え枠５ａ、５ａ、５ｂ、５ｂを、図４に示すように、外側に開いた上で、四個のドラムｄ、ｄ…を四対の載置用ローラ３、３…から取り除き、その後、図６中に実線で示すように、上抑え枠５ａ、５ａ、５ｂ、５ｂを起こし、更に同図中に一点鎖線で示すように、機枠２の内側に倒すことができる。なお、ガイド枠６、６も、上抑え枠５ｂ、５ｂと一緒に、機枠２上に載せることになる。図６に矢印ａで示すように、機枠２内に倒してある幅狭側の上抑え枠５ａ、５ａの上に配置することができる。こうしてこの引出機は、一枚の板状物に近い形態にまでコンパクトにすることができる。
【００５５】
従って保管の際や運搬の際には保管又は積み荷スペースを極めて小さくすることができる。具体的には、引出機は、上述のように、折り畳めば、ほぼ板状になってしまうので、保管又は運搬する際には、複数のそれを相互に重ねることが可能である。そのため、既存の積み重ねのできないものと比べて遥かに省スペースである。運搬時には取り除いたドラムｄ、ｄ…も横にして積み重ねて運べるので、より好都合である。
【００５６】
更に、この実施例の引出機は、一台で四個のドラムｄ、ｄ…を載置して使用することができるため、ここで使用例として説明している電気工事で複数種の電線類ｗを使用する場合でも一台の引出機で、四種のそれが使用可能であり、引出機の台数を少なくすることができる。また同種の電線類ｗを大量に使用する場合は、同種の電線類ｗを巻いた四個のドラムｄ、ｄ…を載置して使用することも可能であり、この場合は載せ替えを少なくして作業を能率的に行うことができる。勿論、前記したように、載せ替えを必要とする場合にそれが簡単にできるものでもある。
【図面の簡単な説明】
【００５７】
【図１】一実施例の４連ドラム巻条材の引出機の平面図。
【図２】一実施例の４連ドラム巻条材の引出機の側面図。
【図３】一実施例の４連ドラム巻条材の引出機の正面図。
【図４】一実施例の４連ドラム巻条材の引出機の上抑え枠を開いた状態の一部切欠平面図。
【図５】(a)はガイド枠の平面図、(b)は右側面図、(c)は正面図。
【図６】一実施例の４連ドラム巻条材の引出機を折り畳む過程を説明する説明用側面図。
【図７】一対のフレームの側部規制ローラを配した部位で切断した一部切欠拡大縦断面図。
【符号の説明】
【００５８】
１    フレーム
１ａ  切欠部
２    機枠
３    載置用ローラ
３ａ  中心軸
４    側部規制ローラ
５ａ、５ｂ  上抑え枠
６    ガイド枠
６ａ  側部ガイドローラ
６ａ１  ブラケット
６ｂ  端部ガイドローラ
６ｂ１  垂下板部
７    連結ボルト
７ａ  ナット
７ｂ  パイプ状のスペーサ
７ｃ  ナット
８    連結板
９    抑えローラ
１０  上抑え枠の面状ファスナ（結合手段）
１１  ガイド枠の面状ファスナ（接続手段）
１２  ヒンジ
１２ａ、１２ｂ  ヒンジ片
ｄ    ドラム
ｗ    電線類
【図１】
2009102091.tif 000003
【図２】
2009102091.tif 000004
【図３】
2009102091.tif 000005
【図４】
2009102091.tif 000006
【図５】
2009102091.tif 000007
【図６】
2009102091.tif 000008
【図７】
2009102091.tif 000009